(57)【要約】本発明は洋式便器用の可変サイフォン管駆動装置に関し、特に駆動信頼性が高く、悪臭遮断機構を有し、洋式便器の後部をスリム化できる可変サイフォン管駆動装置に関する。【選択図】図３
2007532810.tif 000002
【特許請求の範囲】
【請求項１】
ボウルと水タンクとを備えた貯水型洋式便器用の可変サイフォン管駆動装置であって、給水路と連通するように前記ボウルの後方に設けられたベローズ管状の押圧管と、前記押圧管の上端を前記給水路の連結首部に締結するとともに両側に第１掛止部を有する締め付けリングと、前記押圧管の底面に連結するとともに両側に第２掛止部を有し、各第２掛止部の下端に嵌込孔が設けられたブラケットと、前記第１掛止部及び前記第２掛止部に連結された復元スプリングと、一方の側にボウルの排出口にベローズ管を介して連結した入口部と、汚水管にベローズ管を介して連結した出口部とを有し、他方の側に屈曲部を有し、前記屈曲部の両側に前記嵌込孔に嵌合する枢軸を備えた可変サイフォン管と、前記押圧管と前記可変サイフォン管とを連結する連結管とを具備することを特徴とする可変サイフォン管駆動装置。
【請求項２】
給水管の水をボールの給水路に直接供給する直水型洋式便器用の可変サイフォン管駆動装置であって、給水路と連通するように前記ボウルの後方に設けられたベローズ管状の押圧管と、前記押圧管の上端を前記給水路の連結首部に締結するとともに両側に第１掛止部を有する締め付けリングと、前記押圧管の底面に連結するとともに両側に第２掛止部を有し、各第２掛止部の下端に嵌込孔が設けられたブラケットと、前記第１掛止部及び前記第２掛止部に連結された復元スプリングと、一方の側にボウルの排出口にベローズ管を介して連結した入口部と、汚水管にベローズ管を介して連結した出口部とを有し、他方の側に屈曲部を有し、前記屈曲部の両側に前記嵌込孔に嵌合する枢軸を備えた可変サイフォン管と、前記押圧管と前記可変サイフォン管とを連結する連結管とを具備することを特徴とする可変サイフォン管駆動装置。
【請求項３】
請求項１又は２に記載の可変サイフォン管駆動装置において、前記連結管の流入端は前記押圧管の底部と連通しており、排出端は駆動前の可変サイフォン管内の最高水位より下に位置することを特徴とする可変サイフォン管駆動装置。
【請求項４】
請求項１又は２に記載の可変サイフォン管駆動装置において、前記各ベローズ管内にビニール管が設置されていることを特徴とする可変サイフォン管駆動装置。
【発明の詳細な説明】
【技術分野】
【０００１】
本発明は洋式便器用の可変サイフォン管駆動装置に関し、特に駆動信頼性が高く、悪臭遮断機構を有し、洋式便器の後部をスリム化できる可変サイフォン管駆動装置に関する。
【背景技術】
【０００２】
従来の洋式便器用の可変サイフォン管駆動装置は、図１及び図２に示すように、一端がボウル１に他端が汚水管２にそれぞれ蛇腹管３を介して連結された可変サイフォン管10と、ボウル１の給水路1aと連通するとともに、補助管４を介して可変サイフォン管10にも連通する上部ベローズ管20と、下端が設置床面Ｂに固定され、上端が上部ベローズ管20の底板21に貫設されたガイドバー30と、ガイドバーの中間部に連結され、底板21に連結棒によって連結された横棒（図示せず）と、可変サイフォン管10の屈曲部11に取り付けられ、横棒の外端を回転可能に支持するローラー40と、横棒を元の位置に戻すように横棒の下端に取り付けられた復元スプリング50とを有する。
【０００３】
しかしながら、このような可変サイフォン管付き洋式便器は、以下の問題点を有する。
【０００４】
第一に、復元スプリング50が作動中に絡んでしまうおそれがある。すなわち、復元スプリングが圧縮過程で絡んで復元が円滑に行われず、上部ベローズ管20内の水が全て排出された後も可変サイフォン管10が元の位置に戻らないという誤動作が起こり得る。
【０００５】
第二に、復元スプリング50とガイドバー30との摩擦により、洋式便器の駆動の信頼性が低下し、騒音が発生する。すなわち、復元スプリングとその中で延在するガイドバー30との摩擦により雑音が出るだけでなく、ガイドバーが磨耗する。さらに復元スプリングの伸縮が円滑でなくなるため、可変サイフォン管10の上昇が不安定になるという問題が生じる。
【０００６】
第三に、ガイドバー30を設置床面Ｂに設置するのが困難である。すなわち、壊れやすいタイルで施工された設置床面にガイドバーを設置する場合、タイルが簡単に壊れてしまい、ガイドバーを設置するのが難しいという問題がある。
【０００７】
第四に、補助管４が可変サイフォン管10の最高水位より上に位置するため、汚物貯留タンクＴから上ってくる悪臭（図１に矢印で示す）は、可変サイフォン管、補助管、上部ベローズ管、給水路及びボウルを経て便器の外に漏れ、遮断するのが難しい。
【０００８】
また補助管４の吸込側が上部ベローズ管20の側面にあるので、上部ベローズ管20が復元したときに、補助管を介して排出されなかった水が上部ベローズ管の底部に残っている。従って、その分だけボウル１内の貯水量が少なくなるという問題がある。
【０００９】
第五に、図２に示すように、ボウル１の背面を設置壁面Ｗに密接させても可変サイフォン管10の屈曲部11の円運動が妨げられないように、ボウル１は十分に長くなければならない。そのため、ボウルがΔＬだけ長くなり、洋式便器のスリム化が難しい。
【００１０】
第六に、可変サイフォン管10の出入口に連結されたベローズ管３に汚物が付着するおそれが大きい。すなわち、ベローズ管３は複数の折り畳み部を有するため、排水時にベローズ管３の折り畳み部に汚物がこびり付き、ベローズ管の円滑な伸縮が妨げられるおそれがある。
【発明の開示】
【発明が解決しようとする課題】
【００１１】
従って、本発明の目的は、復元スプリングの位置を変更することにより復元スプリングの伸縮を円滑にし、可変サイフォン管の昇降動作の信頼性を高めた洋式便器用の可変サイフォン管駆動装置を提供することである。
【００１２】
本発明の別の目的は、汚物貯留タンクから悪臭が上ってこないように悪臭遮断機構を有する洋式便器用の可変サイフォン管駆動装置を提供することである。
【００１３】
本発明のさらに別の目的は、可変サイフォン管の屈曲部の回転軌道をできるだけ小さくすることにより、洋式便器を長くしなくても設置壁面に密接できる洋式便器用の可変サイフォン管駆動装置を提供することである。
【００１４】
本発明のさらに別の目的は、ベローズ管の内部にビニール管を設置することにより、ベローズ管の内壁に汚物がこびりつくのを防止できる洋式便器用の可変サイフォン管駆動装置を提供することである。
【課題を解決するための手段】
【００１５】
本発明の一実施例によれば、ボウル及び水タンクを備えた貯水型洋式便器用の可変サイフォン管駆動装置は、給水路と連通するようにボウルの後方に設けられたベローズ管状の押圧管と、押圧管の上端を給水路の連結首部に締結するとともに両側に第１掛止部を有する締め付けリングと、押圧管の底面に連結するとともに両側に第２掛止部を有し、各第２掛止部の下端に嵌込孔が設けられたブラケットと、第１掛止部及び第２掛止部と連結した復元スプリングと、一方の側にボウルの排出口にベローズ管を介して連結した入口部と、汚水管にベローズ管を介して連結した出口部とを有し、他方の側に屈曲部を有し、屈曲部の両側に嵌込孔に嵌合する枢軸を備えた可変サイフォン管と、押圧管と可変サイフォン管とを連結する連結管とを具備する。
【００１６】
本発明の別の実施例によれば、給水管の水をボウルの給水路に直接供給する直水型洋式便器用の可変サイフォン管駆動装置は、給水路と連通するようにボウルの後方に設けられたベローズ管状の押圧管と、押圧管の上端を給水路の連結首部に締結するとともに両側に第１掛止部を有する締め付けリングと、押圧管の底面に連結するとともに両側に第２掛止部を有し、各第２掛止部の下端に嵌込孔が設けられたブラケットと、第１掛止部及び第２掛止部に連結された復元スプリングと、一方の側にボウルの排出口にベローズ管を介して連結した入口部と、汚水管にベローズ管を介して連結した出口部とを有し、他方の側に屈曲部を有し、屈曲部の両側に嵌込孔に嵌合する枢軸を備えた可変サイフォン管と、押圧管と可変サイフォン管とを連結する連結管とを具備する。
【００１７】
連結管の流入端は押圧管の底部と連通し、排出端は駆動前の可変サイフォン管内の最高水位より下に位置するのが好ましい。各ベローズ管内にビニール管が設置されているのが好ましい。
【発明の効果】
【００１８】
本発明の可変サイフォン管駆動装置では、復元スプリングは引っ張られるだけなので絡まず、またガイドバーが不要なため、復元スプリングとガイドバーとの摩擦による両者の摩耗や雑音が発生しない。さらにガイドバーを設置するための床工事が不要なため、便器の設置が容易である。その上、摩耗がないため装置の信頼性が高い。
【００１９】
連結管の上端が押圧管の底部に連結しているため、押圧管内に水が残らず、可変サイフォン管を円滑に駆動できる。また連結管の下端が可変サイフォン管内の最高水位より下に位置しているため、可変サイフォン管に溜まっている水により悪臭を遮断することができる。
【００２０】
可変サイフォン管の出入口に連結したベローズ管内にビニール管を設けることにより、ベローズ管の内壁に汚物がこびりつくのを防止できるので、ベローズ管の伸縮性の劣化を防止できる。
【００２１】
可変サイフォン管の枢軸の位置を変え、かつ汚水管に連結されたベローズ管をできるだけ長くすると、可変サイフォン管の屈曲部は実質的に直線運動をする。そのため、ボウルを長くしなくても設置壁面に密接させることができ、便器の設置空間を著しく減らせる。
【発明を実施するための最良の形態】
【００２２】
本発明の好ましい実施例を図３〜図７を参照して以下詳細に説明する。
【００２３】
本発明の可変サイフォン管駆動装置は、水タンク５に貯水して必要に応じて放水する貯水型の洋式便器（図３に示す）、及び給水管（水道管）の水をボウルの給水路に直接供給する直水型の洋式便器（図４に示す）のいずれにも使用可能である。
【００２４】
貯水型洋式便器又は直水型洋式便器に使用する可変サイフォン管駆動装置100は、ボウル１の後方に設けられ、給水路1aと連通するベローズ管状の押圧管110を有する。押圧管110は給水路1aと連通しているため、給水路に水が供給されると、水の一部は押圧管に流入する。
【００２５】
押圧管110の上端は、締め付けリング120により給水路1aの連結首部1bに締結されている。締め付けリング120は、一対の半円形状ハーフリング（射出成形品）を螺合したもので、各ハーフリングには、後述する復元スプリング140の上端を掛止するための第１掛止部121が一体的に形成されている。
【００２６】
押圧管110の底面にはブラケット130が連結している。ブラケット130の両側には第２掛止部131が設けられており、各第２掛止部131の下端には嵌込孔132が設けられている。
【００２７】
第１掛止部及び第２掛止部121，131には復元スプリング140の上端及び下端が連結している。復元スプリング140は下記の条件を満たすようにブラケット130を上方に引っ張る。すなわち、押圧管110内に水がないと、復元スプリングは、押圧管110、ブラケット130及び後述の可変サイフォン管150をバネ力で持ち上げた状態に維持するが、押圧管110に水が充満すると、押圧管と水の合計重量により復元スプリング140は伸びる。
【００２８】
ブラケット130には可変サイフォン管150が枢動自在に連結されている。可変サイフォン管150はＵ字状のプラスチック成形品であり、一方の側に入口部151及び出口部152（それぞれ上部及び下部）が設けられており、他方の側に屈曲部153が設けられている。屈曲部153の側面には嵌込孔132に回転自在に連結する枢軸154が設けられている。
【００２９】
入口部151はベローズ管161を介してボウル１の排出口1cに連結しており、出口部152はベローズ管162を介して汚水管２に連結している。可変サイフォン管が昇降する際、可変サイフォン管150の位置はベローズ管161，162により僅かに変更可能である。可変サイフォン管150が円軌道を通らなくても昇降できるように、特に下部ベローズ管162は弾性材からなるのが好ましい。
【００３０】
各ベローズ管161，162内に、一端が固定され、他端が開放されたビニール管163が設けられているので、排水の際汚物がベローズ管161，162にこびりつくのを防止できる。
【００３１】
押圧管110及び可変サイフォン管150は連結管170を介して連結している。連結管は、押圧管110及び可変サイフォン管150の動きに応じて長さが変化する必要があるため、ベローズ管状である。連結管の上端が押圧管110の底部と連通し、下端が可変サイフォン管150と連通しているので、押圧管110内の水はボウル１に流入することができる。
【００３２】
汚物貯留タンクＴから悪臭が室内に流入するのを可変サイフォン管150に残った水により防止するため、連結管170の下端171は、可変サイフォン管150内の最高水位HLより下に位置しなければならない。
【００３３】
このような構成を有する本発明の可変サイフォン管駆動装置の駆動を図６及び図７を参照して説明する。
【００３４】
使用前では、図６に示すように、復元スプリング140の弾性力によりブラケット130が持ち上げられて押圧管110は圧縮されており、可変サイフォン管150の後方屈曲部153も持ち上がった状態にある。可変サイフォン管150の上部にはボウル１と同じ水位まで水がある。
【００３５】
水タンク５又は給水管６から供給された水の一部は給水路1aを経てボウル１に供給されるが、残部は押圧管110に供給される。
【００３６】
押圧管110は、水で充満するにつれ、水の重みにより下方に伸びる。それにより、押圧管110に連結されたブラケット130、及びブラケット130に枢動自在に連結された可変サイフォン管150の屈曲部153は下降する。
【００３７】
可変サイフォン管150の屈曲部153が下降するにつれて、可変サイフォン管150の入口部151及び出口部152が僅かに下向きになるので、汚物を自然排出が可能となる。それとともに、流水量を最小化し、排水時の騒音を著しく減らすこともできる。
【００３８】
給水路1aへの給水が止まると、押圧管110に充填された水は、連結管170及び可変サイフォン管150を経てボウル１に少しずつ供給され、ボウル１内の残水となる。このように押圧管110の水が徐々に抜けていくと軽くなるので、復元スプリングの圧縮力により初期状態に戻る。
【産業上の利用可能性】
【００３９】
本発明の可変サイフォン管駆動装置では、復元スプリングは引っ張られるだけなので絡まず、またガイドバーが不要なため、復元スプリングとガイドバーとの摩擦による両者の摩耗や雑音が発生しない。さらにガイドバーを設置するための床工事が不要なため、便器の設置が容易である。その上、摩耗がないため装置の信頼性が高い。
【００４０】
連結管の上端が押圧管の底部に連結しているため、押圧管内に水が残らず、可変サイフォン管を円滑に駆動できる。また連結管の下端が可変サイフォン管内の最高水位より下に位置しているため、可変サイフォン管に溜まっている水により悪臭を遮断することができる。
【００４１】
可変サイフォン管の出入口に連結したベローズ管内にビニール管を設けることにより、ベローズ管の内壁に汚物がこびりつくのを防止できるので、ベローズ管の伸縮性の劣化を防止できる。
【００４２】
可変サイフォン管の枢軸の位置を変え、かつ汚水管に連結されたベローズ管をできるだけ長くすると、可変サイフォン管の屈曲部は実質的に直線運動をする。そのため、ボウルを長くしなくても設置壁面に密接させることができ、便器の設置空間を著しく減らせる。
【図面の簡単な説明】
【００４３】
【図１】従来の可変サイフォン管駆動装置の駆動前の状態を示す断面図である。
【図２】従来の可変サイフォン管駆動装置の駆動後の状態を示す断面図である。
【図３】貯水型洋式便器に設置した本発明の可変サイフォン管駆動装置を示す図である。
【図４】直水型洋式便器に設置した本発明の可変サイフォン管駆動装置を示す図である。
【図５】本発明の可変サイフォン管駆動装置をＡ方向から見た図である。
【図６】本発明の可変サイフォン管駆動装置の駆動前の状態を示す断面図である。
【図７】本発明の可変サイフォン管駆動装置の駆動後の状態を示す断面図である。
【符号の説明】
【００４４】
110・・・押圧管
120・・・締め付けリング
130・・・ブラケット
140・・・復元スプリング
150・・・可変サイフォン管
170・・・連結管
【図１】
2007532810.tif 000003
【図２】
2007532810.tif 000004
【図３】
2007532810.tif 000005
【図４】
2007532810.tif 000006
【図５】
2007532810.tif 000007
【図６】
2007532810.tif 000008
【図７】
2007532810.tif 000009
【国際調査報告】
2007532810.tif 000010